(57)【要約】【課題】９０度以上の転倒角であっても、進行する変状（傾斜）の経時変化を的確に検出することができる土木構造物の連続測定型転倒検出装置を提供する。【解決手段】土木構造物に取り付けられる連続測定型転倒検出装置において、中空の多角形状の導電性通路１と、この導電性通路１を転動可能な導電性球体２と、前記導電性通路１の所定回転角度に前記導電性球体２の転動を検出する電極４〜９を具備する。【選択図】図１
2008192573.tif 000002
【特許請求の範囲】
【請求項１】
土木構造物に取り付けられる連続測定型転倒検出装置において、
（ａ）中空の多角形状の導電性通路と、
（ｂ）該導電性通路を転動可能な導電性球体と、
（ｃ）前記導電性通路の所定回転角度に前記導電性球体の転動を検出する電極を具備することを特徴とする連続測定型転倒検出装置。
【請求項２】
土木構造物に取り付けられる連続測定型転倒検出装置において、
（ａ）中空の多角形状の環状管路からなる絶縁性通路と、
（ｂ）該絶縁性通路を転動可能な導電性球体と、
（ｃ）前記導電性通路の所定回転角度に前記導電性球体の転動を検出する電極を具備することを特徴とする連続測定型転倒検出装置。
【請求項３】
請求項１又は２記載の土木構造物の連続測定型転倒検出装置において、前記所定回転角度を４５度として割り出すようにしたことを特徴とする土木構造物の連続測定型転倒検出装置。
【請求項４】
請求項１又は２記載の土木構造物の連続測定型転倒検出装置において、前記所定回転角度を６０度として割り出すようにしたことを特徴とする土木構造物の連続測定型転倒検出装置。
【発明の詳細な説明】
【技術分野】
【０００１】
本発明は、土木構造物の傾斜検出装置に係り、特に、橋脚周りの防護工流出等を検出する土木構造物の連続測定型転倒検出装置に関するものである。
【背景技術】
【０００２】
従来、図５に示すように、橋脚１０１周りに防護工１０２が施されているが、その橋脚１０１周りの防護工１０２は増水などにより流出することがあり、その防護工１０２の変状を検知する必要がある。防護工１０２が水上に位置している場合には、目視による防護工１０２の流出の点検も可能であるが、図６に示すように、防護工１０２が水面１０３下に施されている場合には防護工１０２の流出の点検は不可能である。そこで、防護工１０２の流出を検知するためには、土木構造物の傾斜検出装置が必要になる。
【０００３】
ところで、従来、構造物の傾斜や振動を電気の接点信号で出力する装置がある。
【０００４】
図７は従来の傾斜検知装置の模式図である（下記特許文献１参照）。
【０００５】
図７において、１１１は導電性台座であり、すり鉢状の表面１１２を有している。１１３は導電性球体であり、導電性台座１１１のすり鉢状の表面１１２に載置されている。１１４は導電性カバーであり、導電性台座１１１とは接触しないように配置されている。
【０００６】
そこで、図７（ａ）に示すように、導電性台座１１１が水平な状態にある場合には、導電性球体１１３がすり鉢状の表面１１２の中央に位置し、導電性台座１１１と導電性カバー１１４は離れており、電気的にＯＦＦの状態にある。ところが、図７（ｂ）に示すように、導電性台座１１１が傾斜すると、導電性球体１１３はその傾斜方向に転がり、導電性球体１１３は導電性台座１１１と導電性カバー１１４とを橋絡するので電気的にＯＮの状態となる。したがって、導電性台座１１１が傾斜したことを検知することができる。
【０００７】
勿論、導電性台座１１１の振動によっても、導電性球体１１３は移動するので、導電性台座１１１の振動をも検知することができる。
【０００８】
また、検出する傾斜量を変更する場合は、すり鉢状の表面や山形状の表面の傾斜角度を変更することで対応可能である。
【０００９】
更に、従来の傾斜検知装置としては、導電性液体を用いた傾斜スイッチも用いられている（下記特許文献２参照）。
【特許文献１】特開２０００−６７７１８号公報
【特許文献２】特開２０００−２１２７４号公報
【発明の開示】
【発明が解決しようとする課題】
【００１０】
しかしながら、上記した従来の傾斜検出器では、進行する変状（傾斜）の経時変化をとらえることはその機構上困難である。
【００１１】
そのため、角度の異なる検出部を並設するなどの措置が必要になる。しかし、従来の検出装置では９０度の転倒角（傾斜）を超えて検出することができないといった抜本的な欠陥があった。
【００１２】
本発明は、上記状況に鑑みて、９０度以上の転倒角であっても、進行する変状（傾斜）の経時変化を的確に検出することができる土木構造物の連続測定型転倒検出装置を提供することを目的とする。
【課題を解決するための手段】
【００１３】
本発明は、上記目的を達成するために、
〔１〕土木構造物に取り付けられる連続測定型転倒検出装置において、中空の多角形状の導電性通路と、この導電性通路を転動可能な導電性球体と、前記導電性通路の所定回転角度に前記導電性球体の転動を検出する電極を具備することを特徴とする。
【００１４】
〔２〕土木構造物に取り付けられる連続測定型転倒検出装置において、中空の多角形状の環状管路からなる絶縁性通路と、この絶縁性通路を転動可能な導電性球体と、前記導電性通路の所定回転角度に前記導電性球体の転動を検出する電極を具備することを特徴とする。
【００１５】
〔３〕上記〔１〕又は〔２〕記載の土木構造物の連続測定型転倒検出装置において、前記所定回転角度を４５度として割り出すようにしたことを特徴とする。
【００１６】
〔４〕上記〔１〕又は〔２〕記載の土木構造物の連続測定型転倒検出装置において、前記所定回転角度を６０度として割り出すようにしたことを特徴とする。
【発明の効果】
【００１７】
本発明によれば、９０度以上の転倒角であっても、進行する変状（傾斜）の経時変化を的確に検出することができる。
【発明を実施するための最良の形態】
【００１８】
本発明の土木構造物の連続測定型転倒検出装置は、中空の多角形状の導電性通路と、この導電性通路を転動可能な導電性球体と、前記導電性通路の所定回転角度に前記導電性球体の転動を検出する電極を具備する。
【実施例】
【００１９】
以下、本発明の実施の形態について詳細に説明する。
【００２０】
図１は本発明の第１実施例を示す土木構造物の連続測定型転倒検出装置の模式図である。
【００２１】
この図において、１は中空の多角形状の導電性通路、２はその導電性通路１を転動可能な導電性球体、３は導電性通路１に接続される接続線（−）（基準位置）、４は６０度の転倒を検出する電極を有する接続線、５は１２０度の転倒を検出する電極を有する接続線、６は１８０度の転倒を検出する電極を有する接続線、７は２４０度の転倒を検出する電極を有する接続線、８は３００度の転倒を検出する電極を有する接続線、９は３６０度の転倒を検出する電極を有する接続線、１０はこの連続測定型転倒検出装置が取り付けられる土木構造物、例えば、橋脚周りの防護工である。
【００２２】
図２は本発明の第１実施例を示す土木構造物の連続測定型転倒検出装置の動作を示す模式図である。
【００２３】
まず、図２（ａ）は、基準である０度の位置を示しており、図２（ｂ）に示すように、図２（ａ）の状態から６０度転倒する。すると、導電性球体２は右側の導電性通路（−電位）１を通って６０度の転倒を検出する電極を有する接続線４に接触し、通路（−電位）１と接続線４との間の導電性球体２の橋絡により、接続線４から６０度転倒の出力信号が得られる。次に、図２（ａ）の状態から１２０度転倒すると、図２（ｃ）に示すように、導電性球体２は更に右側の導電性通路（−電位）１を通って１２０度の転倒を検出する電極を有する接続線５に接触する。すると、通路（−電位）１と接続線５との間の導電性球体２の橋絡により、接続線５から１２０度転倒の出力信号が得られる。次に、図２（ａ）の状態から１８０度転倒すると、図２（ｄ）に示すように、導電性球体２は更に右側の導電性通路（−電位）１を通って１８０度転倒を検出する電極を有する接続線６に接触する。すると、通路（−電位）１と接続線６との間の導電性球体２の橋絡により、接続線６から１８０度転倒の出力信号が得られる。
【００２４】
このように、連続測定型転倒検出装置は、順次転倒することにより、その転倒角度の出力信号を得ることができる。
【００２５】
上記実施例では転倒検知角度は６０度の割り出しを行うようにしているが、後述する第２実施例のように４５度の割り出しを行うようにしてもよい。また、正多角形の角数を増減することで任意の転倒角度にも対応可能である。また、この連続測定型転倒検出装置を複数個設置することで多方向の転倒に対応可能である。
【００２６】
図３は本発明の第２実施例を示す土木構造物の連続測定型転倒検出装置の模式図であり、図３（ａ）はその全体構成図、図３（ｂ）は図３（ａ）のＡ部断面斜視図である。
【００２７】
この図において、１１は多角形の環状絶縁性管路からなる通路、１２はその環状絶縁性管路からなる通路１１を転動可能な導電性球体、１３はその環状絶縁性管路からなる通路１１の基準位置に配置される接続端子１３Ａを有する電極、１４はその環状絶縁性管路からなる通路１１の４５度転倒位置に配置される接続端子１４Ａを有する電極、１５はその環状絶縁性管路からなる通路１１の９０度転倒位置に配置される接続端子１５Ａを有する電極、１６はその環状絶縁性管路からなる通路１１の１３５度転倒位置に配置される接続端子１６Ａを有する電極、１７はその環状絶縁性管路からなる通路１１の１８０度転倒位置に配置される接続端子１７Ａを有する電極、１８はその環状絶縁性管路からなる通路１１の２２５度転倒位置に配置される接続端子１８Ａを有する電極、１９はその環状絶縁性管路からなる通路１１の２７０度転倒位置に配置される接続端子１９Ａを有する電極、２０はその環状絶縁性管路からなる通路１１の３１５度転倒位置に配置される接続端子２０Ａを有する電極である。
【００２８】
この連続測定型転倒検出装置も、図示しないが土木構造物に取り付けられ、その土木構造物の転倒角度に従って出力信号を得ることができる。
【００２９】
したがって、土木構造物の進行する変状（傾斜）の経時変化を的確に検出することができる。
【００３０】
なお、上記実施例では転倒検知角度は４５度の割り出しを行うようにしているが、前述した第１実施例のように６０度の割り出しを行うようにしてもよい。また、正多角形の角数を増減することで任意の転倒角度にも対応可能である。また、この連続測定型転倒検出装置を複数個設置することで多方向の転倒に対応可能である。
【００３１】
図４は本発明の傾斜検出装置の適用例を示す模式図である。
【００３２】
この図において、２１は橋脚、２２は橋脚周りの流出工、２３はその流出工２２に取り付けられる無線送信装置を備える傾斜検出装置（センサ）、２４はその傾斜検出装置（センサ）２３からの出力情報を収集する無線受信装置、２５は水面である。
【００３３】
このように、傾斜検出装置（センサ）２３からの出力情報を無線受信装置２４で収集することにより、橋脚２１の周りの流出工２２が流出しているか否かの変状を的確に収集して、それに伴い流出工の措置を講じることができる。
【００３４】
なお、本発明は上記実施例に限定されるものではなく、本発明の趣旨に基づき種々の変形が可能であり、これらを本発明の範囲から排除するものではない。
【産業上の利用可能性】
【００３５】
本発明の連続測定型転倒検出装置は、土木構造物の進行する変状（傾斜）の経時変化を的確に検出する連続測定型転倒検出装置として利用可能である。
【図面の簡単な説明】
【００３６】
【図１】本発明の第１実施例を示す土木構造物の連続測定型転倒検出装置の模式図である。
【図２】本発明の第１実施例を示す土木構造物の連続測定型転倒検出装置の動作を示す模式図である。
【図３】本発明の第２実施例を示す土木構造物の連続測定型転倒検出装置の動作を示す模式図である。
【図４】本発明の傾斜検出装置の適用例を示す模式図である。
【図５】従来の橋脚の流出工が水面下にある場合の写真である。
【図６】従来の傾斜検知装置の模式図（その１）である。
【図７】従来の傾斜検知装置の模式図（その２）である。
【符号の説明】
【００３７】
１    中空の多角形状の導電性通路
２，１２    導電性球体
３    導電性通路に接続される接続線（−）（基準位置）
４    ６０度の転倒を検出する電極を有する接続線
５    １２０度の転倒を検出する電極を有する接続線
６    １８０度の転倒を検出する電極を有する接続線
７    ２４０度の転倒を検出する電極を有する接続線
８    ３００度の転倒を検出する電極を有する接続線
９    ３６０度の転倒を検出する電極を有する接続線
１０    連続測定型転倒検出装置が取り付けられる土木構造物
１１    多角形の環状絶縁性管路からなる通路
１３    基準位置に配置される接続端子を有する電極
１３Ａ，１４Ａ，１５Ａ，１６Ａ，１７Ａ，１８Ａ，１９Ａ，２０Ａ    接続端子
１４    ４５度転倒位置に配置される接続端子を有する電極
１５    ９０度転倒位置に配置される接続端子を有する電極
１６    １３５度転倒位置に配置される接続端子を有する電極
１７    １８０度転倒位置に配置される接続端子を有する電極
１８    ２２５度転倒位置に配置される接続端子を有する電極
１９    ２７０度転倒位置に配置される接続端子を有する電極
２０    ３１５度転倒位置に配置される接続端子を有する電極
２１    橋脚
２２    橋脚周りの流出工
２３    無線送信装置を備える傾斜検出装置（センサ）
２４    無線受信装置
２５    水面
【図１】
2008192573.tif 000003
【図２】
2008192573.tif 000004
【図３】
2008192573.tif 000005
【図４】
2008192573.tif 000006
【図６】
2008192573.tif 000007
【図７】
2008192573.tif 000008
【図５】
2008192573.tif 000009